(57)【要約】【課題】安全性がありながら意匠性にも優れる腰壁材を提供する。【解決手段】腰壁材１は、発泡層２とその表面に表面層３とを備えた矩形平板状の腰壁材であって、発泡層２は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、表面層３は、厚さ０．２ｍｍ〜０．７ｍｍで、塩化ビニル樹脂又はポリオレフィン系樹脂からなる層であることを特徴とする。【選択図】図１
2017227073.tif 000002
【特許請求の範囲】
【請求項１】
発泡層とその表面に表面層とを備えた矩形平板状の腰壁材であって、
発泡層は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、
表面層は、厚さ０．２ｍｍ〜０．７ｍｍで、塩化ビニル樹脂又はポリオレフィン系樹脂からなる層である、腰壁材。
【請求項２】
前記表面層は、前記発泡層の左右の端縁において裏面側に巻き込ませてある請求項１に記載の腰壁材。
【請求項３】
前記発泡層の前記端縁から１０ｍｍ〜１００ｍｍの幅で前記表面層を巻き込ませてある請求項２に記載の腰壁材。
【発明の詳細な説明】
【技術分野】
【０００１】
本発明は、建物の内壁の下方側を被覆する腰壁材に関する。
【背景技術】
【０００２】
腰壁材は、建物の各部屋や通路などの内壁の下方側に設けるものであり、内装デザインとして設けるだけでなく、内壁の傷防止や人などが転倒した際の衝撃吸収などの効果もある。
従来の腰壁材としては、例えば、柔軟性を有する基材上に発泡樹脂層と透明フィルム層とを順次積層してシ−ト状に形成されてなることを特徴とする、腰壁材がある（下記特許文献１参照）。
【０００３】
また、表面層、発泡層を積層した非ハロゲン系腰壁材であって、表面層の初期引張強度が１５〜１００Ｎであり、発泡層がエチレン−酢酸ビニル共重合体（以下、ＥＶＡという）を含有するオレフィン系樹脂発泡体であり、該発泡体の発泡倍率が１０〜１５倍であることを特徴とする非ハロゲン系腰壁材がある（下記特許文献２参照）。
【０００４】
さらに、基材の上面に、熱可塑性合成樹脂から成る発泡層と熱可塑性合成樹脂から成る印刷層と熱可塑性合成樹脂から成る透明層が順次積層され、印刷層である印刷模様が腰壁材の長さ方向に対して直角方向であり、腰壁材の長さ方向を壁面の横方向に施工してあり、ＪＩＳ  Ａ  ５７０５  ６．７の加熱による長さ変化が２％以下であることを特徴とする長尺状腰壁材もある（下記特許文献３参照）。
【先行技術文献】
【特許文献】
【０００５】
【特許文献１】特開２００３−２１３８７８号公報
【特許文献２】特開２００５−１６０６７号公報
【特許文献３】特開２００９−２１５８７５号公報
【発明の概要】
【発明が解決しようとする課題】
【０００６】
児童施設や高齢者福祉施設などでは、子供やお年寄りが転倒し、頭部を内壁に打ち付けてしまう事故が生じるおそれがある。
そのため、厚みのあるウレタンフォームなどの壁材を内壁に貼り付け、転倒による事故を防止することが行われている。
しかし、そのような壁材は、安全性の向上は図ることはできるものの意匠性についてまでは考慮されているものではなかった。
【０００７】
そこで、本発明の目的は、安全性がありながら意匠性にも優れる腰壁材を提供することにある。
【課題を解決するための手段】
【０００８】
本発明の一実施形態の腰壁材は発泡層とその表面に表面層とを備えた腰壁材であって、発泡層は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、表面層は、厚さ０．２ｍｍ〜０．７ｍｍで、塩化ビニル樹脂又はポリオレフィン系樹脂からなる層であることを特徴とする。
【０００９】
上記形態の腰壁材は、衝突時に衝撃を吸収することができるため安全性に優れ、児童施設、教育施設、病院、高齢者施設などで好適に用いることができ、特に幼児（６歳児程度）などのために適したものである。
【００１０】
上記形態の腰壁材は、表面層を発泡層の左右の端縁において裏側に巻き込ませることができる。この巻き込みは発泡層の端縁から１０ｍｍ〜１００ｍｍの幅で表面層を巻き込ませることができる。
このようにすることにより、表面層が発泡層から剥がれにくくなる。また、複数の腰壁材を並列させて配する際、左右の端面は表面層としてあるため目地部が綺麗に見える。
施工の際、壁面の幅と合わない場合は、腰壁材を縦方向に切断して壁面に納まるようにすればよい。この際の切断面は壁面の隅部に隠れる。そのため施工が容易ながらデザイン的に優れたものになる。
【図面の簡単な説明】
【００１１】
【図１】本発明の一実施形態の腰壁材であり、（Ａ）は斜視図、（Ｂ）は横断面図である。
【図２】図１の腰壁材を壁面に納めた状態の一例を示した図である。
【図３】図１の腰壁材を壁面に納めた状態の一例を示した縦断面図である。
【図４】図１の腰壁材を壁面に納めた状態の一例を示し、（Ａ）は腰壁材の端縁に端部見切り材を装着して一壁面に施工した場合の納まり構造、（Ｂ）は一壁面に施工した場合の隅部の納まり構造、（Ｃ）は交差する二つの壁面に施工した場合の隅部の納まり構造を示した図である。
【発明を実施するための形態】
【００１２】
以下、本発明の一実施形態の腰壁材を説明する。但し、本発明は、この実施形態に限定されるものではない。
【００１３】
本発明の一実施形態の腰壁材１は、図１（Ａ）、（Ｂ）に示すように、正方形乃至長方形の矩形平板状に形成してあり、発泡層２と、その表面を覆う表面層３とを備えている。
腰壁材１は、特に限定するものではないが、幅を５００ｍｍ〜１５００ｍｍ、好ましくは７００ｍｍ〜１０００ｍｍに形成し、高さを５００ｍｍ〜１５００ｍｍ、好ましくは７００ｍｍ〜１０００ｍｍに形成することができる。
【００１４】
発泡層２は、正方形乃至長方形の矩形平板状に形成してあり、独立発泡体から形成するのが好ましく、具体的には、ポリエチレン（ＰＥ）又はエチレン酢酸ビニル共重合体（ＥＶＡ）から形成することができる。
発泡層２は、厚みが３ｍｍ〜１０ｍｍ、特に５ｍｍ〜８ｍｍであるのが好ましい。厚みを３ｍｍ以上にすることにより、幼児（６歳児程度）に対する衝撃を適度に吸収することができ、厚みを１０ｍｍ以下にすることにより、壁面から張り出さず意匠性に優れる。
発泡層２は、見かけ密度が１００ｋｇ／ｍ３〜１２０ｋｇ／ｍ３、特に１０５ｋｇ／ｍ３〜１１５ｋｇ／ｍ３であるのが好ましい。
【００１５】
表面層３は、発泡層２の少なくとも表面側を覆うシート状のものであり、例えば、塩化ビニル樹脂や、ポリエチレン（ＰＥ）、ポリプロピレン（ＰＰ）などのポリオレフィン系樹脂からなるシートを用いることができる。
表面層３は、厚みが０．２ｍｍ〜０．７ｍｍ、特に０．４ｍｍ〜０．６ｍｍであるのが好ましい。
表面層３は、表面側に印刷を施してもよく、木目調などの印刷を施しておけばデザイン的に優れたものにすることができる。
【００１６】
表面層３は、特に限定するものではないが、接着剤などで発泡層２の表面側に貼付することができる。例えば、表面層３の裏面側に接着層を設け、その上に離型紙を設けるようにしてもよい。このようにしておけば、離型紙を剥がして発泡層２に貼り付ければ腰壁材１を作製できる。
【００１７】
表面層３は、発泡層２の左右の端縁において裏面側に巻き込ませて形成するのが好ましく、この巻き込み幅（図１のＸ）は、発泡層２の左右の端縁から１０ｍｍ〜１００ｍｍ、特に２０ｍｍ〜５０ｍｍにするのが好ましい。このようにすることにより、表面層２が発泡層３から剥がれにくくなる。また、複数の腰壁材１を並列させて配した際に各腰壁材１間の目地部から発泡層２が視認できないためデザイン的に優れたものにすることができる。
【００１８】
腰壁材１は、例えば、図２に示すように、室内壁面４の下方側に並列させて設置することができる。壁面４に設置するには、例えば、腰壁材１の裏面側に接着剤や両面テープなどを用いて壁面４に貼り付けて設置することができる。腰壁材１を並列させる際、各腰壁材１の目地部の間隔は、０ｍｍ〜８ｍｍ、特に２ｍｍ〜６ｍｍにするのが好ましい。
【００１９】
腰壁材１を壁面４に設置する際には、図２又は図３に示すように、幅木５や上部見切り材６を用いるのが好ましい。このようにすることにより、上下の端部が隠れて見栄えがよくなる。
幅木５は、長尺の平板状に形成してあり、上面側に凹部５１を形成し、ここに腰壁材１の下端部を納めることができるように形成してある。
上部見切り材６は、長尺の断面矩形棒状に形成してあり、下面側に凹部６１を形成し、ここに腰壁材１の上端部を納めることができるように形成してある。
【００２０】
腰壁材１の幅と壁面４の幅とが合わない場合は、腰壁材１を縦方向に切断して用いることができる。この際、腰壁材１の切断面は、露出しないようにするのが好ましく、この切断面には、断面コ型状の端部見切り材７を取り付けておくことが好ましい。例えば、図４（Ａ）に示すように、端部見切り材７を切断面に取り付けておくのが好ましい。また、図４（Ｂ）に示すように、端部見切り材７で切断面を覆い隠して壁面４の隅部に納まるようにするのが好ましい。
交差する両壁面４に腰壁材１を納める場合は、図４（Ｃ）に示すように、一方の腰壁材１は切断面が壁面４に当接するように隅部に納め、他方の腰壁材１に端部見切り材７を取り付けて納めるように施工することができる。
【００２１】
このような腰壁材１は、衝突時に衝撃を吸収することができるため安全性に優れ、児童施設、教育施設、病院、高齢者施設などで好適に用いることができる。
また、壁面４の幅と腰壁材１との幅が合わない場合は、腰壁材１を縦方向に切断して納めればよく施工がしやすいものである。この切断面は壁面４の隅部に隠れるため意匠性にも優れる。
【００２２】
以下の腰壁材を作製して衝突試験を行った。
（腰壁材）
発泡層として、見かけ密度１１０ｋｇ／ｍ２、硬度４５、発泡倍率１０倍のポリエチレン発泡体を用いた。このポリエチレン発泡体を、下記表１の厚みに形成した。なお、硬度は規格ＳＲＩＳ０１０１、アスカーＣ型に準拠して測定した。
表面層として、厚さ０．５ｍｍのポリオレフィン系樹脂からなるシートを用いた。
表面層を各発泡層に接着剤で貼り付けて各腰壁材を作製した。
【００２３】
（試験）
床の緩衝性測定装置（高千穂精機株式会社製）を用い、加速度計（昭和測器株式会社製）を備えた３．８５ｋｇのヘッドモデルを８．６ｃｍの高さから各厚みの腰壁材上に落下させ、衝撃値Ｇを求めた。その結果を下記表１に示す。
【００２４】
【表１】
2017227073.tif 000003
【００２５】
（結果）
まず、自動車アセスメントの全面衝突試験により、３歳児程度の頭部に生じる力の安全基準は６５Ｇであることから、この値を基準として、６歳児程度の頭部に生じる力の安全基準を算出した。
３歳児程度の頭部の重さは約１．３〜２．１ｋｇである。なお、この頭部の重さは自動車アセスメントで使用した３歳児（身長９５ｃｍ、体重１６ｋｇ）のモデル数値から計算した。
衝撃力Ｆは、質量ｍ[kg]と加速度ａ[G]の積により算出されることから、３歳児の頭部には、Ｆ＝ｍ×ａ＝２．１[kg]×６５[G]＝１３６．５ｋｇの衝撃力が最大で加わる。
【００２６】
一方、６歳児の体重の平均値は、男子・女子ともに約２０ｋｇである（上記厚生統計要覧参照）。人間の頭の重さは体重比で約８〜１３％である。つまり、６歳児の頭部の重さは約１．６ｋｇ〜２．６ｋｇである。
３歳児の衝撃力を基準とした場合、
ａ＝Ｆ／ｍ＝１３６．５[kgf]／２．６[kg]≒５３[G]であることから、６歳児の場合は、５３[G]以下を安全基準とした。
この安全基準によれば、厚み３ｍｍ以上であれば基準を満たすものであることが確認できた。
【００２７】
上記実施形態の構成態様は、本発明を限定するものとして挙げたものではなく、技術目的を共通にするかぎり変更は可能であり、本発明はそのような変更を含むものである。
【符号の説明】
【００２８】
１  腰壁材
２  発泡層
３  表面層
４  壁面
５  幅木
５１  凹部
６  上部見切り材
６１  凹部
７  端部見切り材
【図１】
2017227073.tif 000004
【図２】
2017227073.tif 000005
【図３】
2017227073.tif 000006
【図４】
2017227073.tif 000007
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
独立発泡体からなる発泡層とその表面に表面層とを備えた矩形平板状の腰壁材であって、
前記発泡層は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、
前記表面層は、厚さ０．２ｍｍ〜０．７ｍｍで、塩化ビニル樹脂又はポリオレフィン系樹脂からなる層である、腰壁材。
【請求項２】
前記表面層は、前記発泡層の左右の端縁において、前記端縁から１０ｍｍ〜１００ｍｍの幅で裏面側に巻き込ませてある請求項１に記載の腰壁材。
【手続補正２】
【補正対象書類名】明細書
【補正対象項目名】０００３
【補正方法】変更
【補正の内容】
【０００３】
また、表面層、発泡層を積層した非ハロゲン系腰壁材であって、表面層の初期引張強度が１５〜１００Ｎであり、発泡層がエチレン−酢酸ビニル共重合体を含有するオレフィン系樹脂発泡体であり、該発泡体の発泡倍率が１０〜１５倍であることを特徴とする非ハロゲン系腰壁材がある（下記特許文献２参照）。
【手続補正３】
【補正対象書類名】明細書
【補正対象項目名】０００８
【補正方法】変更
【補正の内容】
【０００８】
本発明の一実施形態の腰壁材は、独立発泡体からなる発泡層とその表面に表面層とを備えた矩形平板状の腰壁材であって、前記発泡層は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、前記表面層は、厚さ０．２ｍｍ〜０．７ｍｍで、塩化ビニル樹脂又はポリオレフィン系樹脂からなる層であることを特徴とする。
【手続補正書】
【提出日】平成29年10月10日(2017.10.10)
【手続補正１】
【補正対象書類名】特許請求の範囲
【補正対象項目名】請求項１
【補正方法】変更
【補正の内容】
【請求項１】
独立発泡体からなる発泡層とその表面に表面層とを備え、表裏面を平坦面とした矩形平板状の腰壁材であって、
前記発泡層は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、
前記表面層は、厚さ０．２ｍｍ〜０．７ｍｍで、塩化ビニル樹脂又はポリオレフィン系樹脂からなる層である、腰壁材。
【手続補正２】
【補正対象書類名】明細書
【補正対象項目名】０００８
【補正方法】変更
【補正の内容】
【０００８】
本発明の一実施形態の腰壁材は、独立発泡体からなる発泡層とその表面に表面層とを備え、表裏面を平坦面とした矩形平板状の腰壁材であって、前記発泡層は、厚さ３ｍｍ〜１０ｍｍで、ポリエチレン又はエチレン酢酸ビニル共重合体からなる見かけ密度１００ｋｇ／ｍ３〜１２０ｋｇ／ｍ３の層であり、前記表面層は、厚さ０．２ｍｍ〜０．７ｍｍで、塩化ビニル樹脂又はポリオレフィン系樹脂からなる層であることを特徴とする。